(57)【要約】【課題】本発明の課題は、表示部とアンテナとを一体に形成することで装置全体をより小型化に形成することが可能な情報表示システムを提供することである。【解決手段】各種情報が記憶された記憶手段を有するＩＣタグから上記各種情報を読み書きするＲＦＩＤリーダ・ライタ部と１４、上記ＲＦＩＤリーダ・ライタ部１４で読み書きした情報を表示し、上面にタッチパネルを配置した表示部１１と、この表示部１１の外周に配置された前記ＲＦＩＤリーダ・ライタ部１４のアンテナ１２と、を有し、上記表示部１１と前記アンテナ１２との間に遮蔽部材１３を備えた構成とした。【選択図】図１
2009064307.tif 000002
【特許請求の範囲】
【請求項１】
各種情報が記憶された記憶手段を有するＩＣタグから前記各種情報を読み書きするＲＦＩＤリーダ・ライタ部と、
前記ＲＦＩＤリーダ・ライタ部で読み書きした情報を表示し、上面にタッチパネルを配置した表示部と、
該表示部の外周に配置された前記ＲＦＩＤリーダ・ライタ部のアンテナと、を有する、
ことを特徴とする情報表示システム。
【請求項２】
前記表示部と前記アンテナとの間に遮蔽部材を備えた、
ことを特徴とする請求項１記載の情報表示システム。
【請求項３】
前記ＲＦＩＤリーダ・ライタ部は、前記ＩＣタグが個別に有する夫々のプロトコルに対応可能である、
ことを特徴とする請求項１又は２記載の情報表示システム。
【請求項４】
前記ＩＣタグから読み込まれた情報を基に、前記表示部に表示される内容を変更する機能を有する、
ことを特徴とする請求項１から３のいずれか記載の情報表示システム。
【請求項５】
前記ＩＣタグから読み込まれた情報を基に、前記表示部に新たに表示される内容に応じて前記タッチパネルを操作可能とした、
ことを特徴とする請求項４記載の情報表示システム。
【請求項６】
前記表示部は各種コンテンツを表示可能とし、前記タッチパネルは前記表示部に表示された前記各種コンテンツに対応した操作が可能である、
ことを特徴とする請求項１から５のいずれか記載の情報表示システム。
【発明の詳細な説明】
【技術分野】
【０００１】
本発明は、ＩＣタグを搭載したＩＣカードなどの携帯性を有する携帯情報媒体を認知する情報表示システムに関する。
【背景技術】
【０００２】
近年、ＩＣタグを搭載したＩＣカードが急速に普及しており、例えば、ＩＣカードにはスイカ（登録商標）と呼ばれる鉄道乗車用カードやナナコ（登録商標）と呼ばれる電子マネー用カード等がある。
【０００３】
これらのＩＣカードには、各カードにそれぞれ製品関連認識番号（ＩＤｍ）等の各種情報が付与されており、この製品関連認識番号をＲＦＩＤ（Radio  Frequency  IDentification）リーダ・ライタ部が搭載された情報表示システムにおいて認知することで各カードの情報を特定することが可能となる。
【０００４】
従来において、このような情報表示システムとして特許文献１には、ＰＣとリーダ・ライタ部が搭載された情報表示システムとをＵＳＢ（Universal  Serial  Bus）などの通信ケーブルで接続し、情報表示システムで認知した情報をＰＣの画面上で表示させるシステムが開示されている。
【０００５】
また、特許文献２にはアンテナ基板を介してＩＣカードからカード情報を読み取り、携帯電話機本体内のメモリに転送するとともに携帯電話機本体に対してカード情報の表示要求を行う。これにより、ＩＣカードから読み取られたカード情報が表示デバイスに表示されるシステムが開示されている。
【０００６】
また、特許文献３には転送装置を通してＩＣカードや表示装置のＩＤ情報を認識し、認識したＩＤと用意した処理手順とに応じて、表示装置に出力する情報の作成と管理を行う。これによって、可搬性の高い表示装置に情報を表示でき、さらに画像入力と表示する画像や情報と、表示装置とを総合的に管理できるシステムが開示されている。
【特許文献１】特開２００６−２４４２５４号公報
【特許文献２】特開２００３−９９７３１号公報
【特許文献３】特開２００７−１７２２０７号公報
【発明の開示】
【発明が解決しようとする課題】
【０００７】
しかしながら、上記の各特許文献において開示されている情報表示システムはＩＣカードの情報を受信するアンテナと読み込んだ情報を表示する表示部とが夫々に分離した構成となっている。よって、情報表示装置が大型のものとなっていた。これに対し、近年、小型化及び軽量化が進む事情において上記の構成は更なる検討の余地が考えられる。一方、単にアンテナと表示部とを一体に組み込むことは電波が表示部に吸収されてしまうおそれがある。これにより、正しい情報の伝送が乱れてしまう。
【０００８】
そこで、本発明の課題は、表示部とアンテナとを一体に形成することで装置全体をより小型化に形成することが可能な情報表示システムを提供することである。
【課題を解決するための手段】
【０００９】
各種情報が記憶された記憶手段を有するＩＣタグから上記各種情報を読み書きするＲＦＩＤリーダ・ライタ部と、上記ＲＦＩＤリーダ・ライタ部で読み書きした情報を表示し、上面にタッチパネルを配置した表示部と、この表示部の外周に配置された前記ＲＦＩＤリーダ・ライタ部のアンテナとを有する構成とした。
【００１０】
好ましくは、上記表示部と上記アンテナとの間に遮蔽部材を備えた構成とした。
【００１１】
好ましくは、上記ＲＦＩＤリーダ・ライタ部は、前記ＩＣタグが個別に有する夫々のプロトコルに対応可能とした。
【００１２】
好ましくは、上記ＩＣタグから読み込まれた情報を基に、上記表示部に表示される内容を変更する機能を有する構成とした。
【００１３】
好ましくは、上記ＩＣタグから読み込まれた情報を基に、上記表示部に新たに表示される内容に応じて前記タッチパネルを操作可能とした。
【００１４】
好ましくは、上記表示部は各種コンテンツを表示可能とし、前記タッチパネルは前記表示部に表示された前記各種コンテンツに対応した操作が可能である構成とした。
【発明の効果】
【００１５】
本発明によれば、表示部とアンテナとを一体に形成することで装置全体をより小型化に構成し、この情報表示システムを使用する際に設計上の自由度が増大する。
【発明を実施するための最良の形態】
【００１６】
以下、本発明の実施の形態に係る情報表示システムについて、図を用いて説明を行う。図１は本実施の形態の情報表示システムを示した平面図である。本実施の形態は、例えば、家屋などに入室する際の施錠に使用し、図１において、情報表示システム１０はＲＦＩＤリーダ・ライタ部１４と、このＲＦＩＤリーダ・ライタ部１４で読み書きした情報を表示し上面にタッチパネル３１（図３参照。）を配置した表示部１１と、この表示部１１の外周に配置されたアンテナ１２とで構成されている。
【００１７】
ＲＦＩＤリーダ・ライタ部１４は各種情報が記憶された記憶手段を有するＩＣタグを内蔵したＩＣカードから各種情報を読み書きする。このＩＣカードは、表示部１１のカード載置面としてのタッチパネル３１（図３参照。）に載置されることで情報の読み書きが行われる。尚、ここでは、表示部のカード載置面としてのタッチパネル３１を有した情報表示システム１０について示しているが、これに限定されず、ＲＦＩＤリーダ・ライタ部１４は単に表示部１１にＩＣカードを載置しても表示部に表示される内容を変更する機能を有する。
【００１８】
図２は、ＩＣカードを載置した後の情報表示システムを示した平面図である。この表示部１１では、ユーザーがＩＣカードをこの表示部１１に載置すると、このＩＣカードから読み込まれた情報を基に、表示部１１に新たに表示される内容に応じてタッチパネル（図３参照。）を操作することができる。
【００１９】
一例を示すと、表示部１１にはテンキー画面が表示される。これにより、ユーザーが暗証番号を入力して、例えば、家屋などに入室する際のオートロックを解除したりすることができる。尚、暗証番号などの個人情報を表示させる表示部１１には、第３者の覗き見を防止するために視野角可変ＬＣＤを使用するか、又は、表示部１１にプライバシーフィルタを貼り付けておくとことが好ましい。
【００２０】
また、本実施の形態では、この表示部１１は、液晶を利用したＬＣＤ（Liquid  Crystal  Display）を用いている。ただし、近年では電圧をかけて発光する物質を利用して表示させる有機ＥＬ（Electro  Luminescence）などがあるので、表示部１１はＬＣＤに限定されない。
【００２１】
表示部１１とアンテナ１２とＲＦＩＤリーダ・ライタ部１４とをまとめて覆うケース部材は、プラスチックなどの部材を用いることが好ましい。しかし、これに限らず、非金属性のものであれば特にこれに限定されない。
【００２２】
このように、本実施の形態の情報表示システム１０は、表示部１１とアンテナ１２とＲＦＩＤリーダ・ライタ部１４とが一体となって形成されているため、より小型に構成することが可能となる。これにより、装置本体の大きさをカードサイズに近似した大きさのものとすることが可能となる。このように小型化することで、家屋などに設置する際にはレイアウトの自由度が増大する。
【００２３】
図３は、図１において線Ａ−Ａ´を示した情報表示システムの断面を示した図である。表示部１１はタッチパネル３１、表示部１１のメタル部３２、絶縁体として用いられるフェノール樹脂３３及び基板３４で構成されている。表示部１１のメタル部３２とは、例えば、ＬＣＤの外周を覆う金属及びＬＣＤの透明電極である。
【００２４】
また、ＲＦＩＤリーダ・ライタ部１４はアンテナ１２で送受信したデータや電力を制御する高周波インターフェイスと、ＩＣカードの夫々のプロトコルに対応した伝送手順の制御を行うマルチＲＦＩＤリーダ・ライタモジュール３５及びこのマルチＲＦＩＤリーダ・ライタモジュール３５で送受信した情報を解析及び制御する制御用ボード３６で構成されている。
【００２５】
そして、ＲＦＩＤリーダ・ライタ部１４が発する情報をＩＣカードがアンテナ１２を介して受信し、この受信を受けてＩＣカードがアンテナ１２に情報を発する。このアンテナ１２で受信した情報をＲＦＩＤリーダ・ライタ部１４のマルチＲＦＩＤリーダ・ライタモジュール３５で受信処理し、この情報を制御用ボード３６で解析し、表示部１１に表示するといった動作が行われる。
【００２６】
ここで、表示部１１とアンテナ１２とを単に近接して配置すると、上述した動作が行われる際に表示部１１に付随しているメタル部３２がアンテナ１２からの電波を吸収してしまう。よって、この電波吸収により充分な伝送ができず表示部１１での表示内が変化してしまうおそれがある。
【００２７】
そこで、本実施の形態では、表示部１１とアンテナ１２とを互いに影響させないために、表示部１１とアンテナ１２との間に遮蔽部材１３を設けて構成している。これにより、表示部１１とアンテナ１２とを一体に組み込んでも、互いに影響を受けないので、正しい情報の伝送が乱れないといった効果が得られる。尚、この遮蔽部材１３はアンテナ１２とメタル部３２との間を遮断するものであれば特に限定されないが、例えば、フェライトシートなどを用いると良い。
【００２８】
図４は、情報表示システム１０の全体の構成を示したブロック図である。尚、同図４では本実施の形態に係る構成を示したものであるため、実際に用いる情報表示システム１０の細部については省略して示している。
【００２９】
図４において、アンテナ１２には、周波数を調整するためのマッチング回路４１が設け
られている。これにより、仮に周波数が異なる場合においてもＩＣカードが発する電波を受けることが可能となる。よって、このマッチング回路４１とＲＦＩＤリーダ・ライタ部１４に備えられたマルチＲＦＩＤリーダ・ライタモジュール３５とが接続されているため、マルチＲＦＩＤリーダ・ライタモジュール３５はＩＣカードの情報を受信処理することが可能となる。
【００３０】
また、ＲＦＩＤリーダ・ライタ部１４はＩＣカードに搭載されたＩＣタグが個別に有する夫々のプロトコルに対応可能である。詳述すると、ＩＣタグにはフェリカ（登録商標）、ＩＳＯ１４４４３Ａ及びＢ、ＩＳＯ１５６９３などのタグが個別に有する夫々のプロトコルがあり、代表的なＩＣタグはフェリカであるが、これに限定されず、ＩＳＯ１４４４３Ａ及びＢ、ＩＳＯ１５６９３などのＩＣタグを準拠したＩＣカードの情報を受信することも可能である。つまり、このＲＦＩＤリーダ・ライタ部１４はスイカ(登録商標)や財布携帯などに代表される情報を受信処理するマルチＲＦＩＤリーダ・ライタモジュールと受信データの解析及び制御する制御用ボードとを組み合わせたシステムに用いることができる。
【００３１】
制御ボード用３６にはＭＰＵ４２が備えられており、このＭＰＵ４２には表示部インターフェイス４３、タッチパネルインターフェイス４４、ＰＣと接続可能な通信ケーブル４５及びＷｅｂと接続可能な無線ＬＡＮ４６などが備えられている。
【００３２】
図５（ａ）〜（ｃ）は、ＩＣカードをＲＦＩＤリーダ・ライタ部１４に認知させる際に生じるエラー率を実験データとして示した図である。図５（ａ）は、従来のように表示部１１とアンテナ１２及びＲＦＩＤリーダ・ライタ部１４とが別に配置された状態において、アンテナ１２及びＲＦＩＤリーダ・ライタ部１４にＩＣカードを載置した場合のエラー率をデータとして示した図である。
【００３３】
また、図５（ｂ）は、表示部１１とアンテナ１２及びＲＦＩＤリーダ・ライタ部１４とを単に一体に組み込んだ場合のエラー率をデータとして示した図である。
【００３４】
さらに、図５（ｃ）は、本実施の形態において、表示部１１とアンテナ１２及びＲＦＩＤリーダ・ライタ部１４とを一体に配置した状態において、表示部１１とアンテナ１２との間に遮蔽部材１３を設けた場合のエラー率をデータとして示した図である。尚、同図５に示す距離とは、表示部１１とアンテナ１２との距離ｌを示したものである（図３参照。）。
【００３５】
図５（ａ）は、従来の構成である表示部１１とアンテナ１２とが別に構成されているものであるため、この状態では、当然エラーは発生しない。尚、距離ｌが５ｍｍから２０ｍｍのデータについてはエラー率が０．２程度であるが、この値はこの分野において許容範囲内の値である。
【００３６】
次に図５（ｂ）は、表示部１１がある状態においてのエラー率を示したデータであるが、この状態においては表示部１１とアンテナ１２とが互いに影響してしまい、同図５（ｂ）に示すようにエラーが発生してしまう。特に、表示部１２とアンテナ１３の距離ｌが０ｍｍと５ｍｍの場合には、エラー率が非常に高くなってしまう。また、この距離ｌを離した場合にはエラー率が低くなるが、ＩＣカードを認知しにくくなってしまう。
【００３７】
そこで、図５（ｃ）は、遮蔽部材１３によって表示部１１とアンテナ１２とが互いに影響を受けないため、同図５（ｃ）に示すようにエラー率が低い。尚、ここでも、距離ｌが０ｍｍ、１０ｍｍから２０ｍｍのデータについてはエラー率が０ではないが、この値はこの分野において許容範囲内の値である。よって、遮蔽部材１３を表示部１１とアンテナ１
２との間に設けることで、表示部１１とアンテナ１２とを重ねて形成することが可能となるため、より小型な情報表示システムを提供することができる。
【００３８】
図６は、情報表示システム１０の他の使用用途を示した平面図である。図６は、ＩＣカードを表示部１１に載置することで表示部１１にコンテンツを表示することができる。ここでは、コンテンツ１１について示したが、これに限定されず、例えば、店舗端末などとしても利用可能である。
【００３９】
つまり、本実施の形態の情報表示システム１０は、スイカ(登録商標)や財布携帯などに代表される情報を記憶する記憶部と無線通信を行う通信部を組み合わせたシステムに用いることができる。今後は、商品管理や入出庫管理などの用途で流通分野を中心に発展し、今や工場内の製造ライン管理やオフィスの資産管理など、応用範囲が様々に広がっていくものと予想される。
【００４０】
本実施の形態によれば、表示部１１とアンテナ１２とが一体となって形成されているので、情報表示システム１０をより小型に形成することができる。これにより、この情報表示システム１０は上述したような様々な分野において用いる際に設計の自由度が増大する。
【図面の簡単な説明】
【００４１】
【図１】情報表示システムを示した平面図である。
【図２】ＩＣカードを載置させた後の情報表示システムを示した平面図である。
【図３】図１において線Ａ−Ａ´を示した情報表示システムの断面を示した図である。
【図４】情報表示システムの全体の構成を示したブロック図である。
【図５】ＩＣカードをＲＦＩＤリーダ・ライタ部に認知させる際に生じるエラー率を実験データとして示した図であり、（ａ）は従来の構成である表示部とアンテナとが別に構成されているものであり、（ｂ）は表示部がある状態においてのエラー率を示したデータであり、（ｃ）は遮蔽部材によって表示部とアンテナとが互いに影響を受けない場合のエラー率をデータとして示した図である。
【図６】情報表示システムの他の使用用途を示した平面図である。
【符号の説明】
【００４２】
１０      情報表示装置
１１      表示部
１２      アンテナ
１３      遮蔽部材
１４      ＲＦＩＤリーダ・ライタ部
３１      タッチパネル
３２      メタル部材
３３      フェノール樹脂材
３４      基板
３５      マルチＲＦＩＤリーダ・ライタモジュール
３６      制御用ボード
４１      マッチング回路
４２      ＭＰＵ
４３      表示部インターフェイス
４４      タッチパネルインターフェイス
４５      通信ケーブル
４６      無線ＬＡＮ
【図１】
2009064307.tif 000003
【図２】
2009064307.tif 000004
【図３】
2009064307.tif 000005
【図４】
2009064307.tif 000006
【図５】
2009064307.tif 000007
【図６】
2009064307.tif 000008